(57)【要約】      （修正有）【課題】沸騰させた液体中に還元水素を生成することが可能な水素生成機能付き電気ケトルを提供する。【解決手段】水素生成機能付き電気ケトル１Ａは、液体が注入される容器９を有するケトル本体３と、ケトル本体３に電力を供給する給電部と、容器９内に注入された液体を給電部からの電力で加熱する加熱部１５と、容器９内の液体の沸騰を検知して加熱部１５による加熱を停止する沸騰検知部１７と、容器９内の液体中に給電部らの電力で電気分解による還元水素を生成する水素生成部１８と、を備えて構成されている。【選択図】図１
2018020288.tif 000002
【特許請求の範囲】
【請求項１】
液体が注入される容器を有するケトル本体と、
前記ケトル本体に電力を供給する給電部と、
前記容器内に注入された液体を前記給電部からの電力で加熱する加熱部と、
前記容器内の液体の沸騰を検知して前記加熱部による加熱を停止する沸騰検知部と、
前記容器内の液体中に前記給電部からの電力で電気分解による還元水素を生成する水素生成部と、を備えたことを特徴とする水素生成機能付き電気ケトル。
【請求項２】
請求項１に記載の水素生成機能付き電気ケトルにおいて、
前記水素生成部が、前記容器の開口部を開閉する蓋に前記容器内の液体に浸かるように設けられた白金チタン電極からなることを特徴とする水素生成機能付き電気ケトル。
【請求項３】
請求項１に記載の水素生成機能付き電気ケトルにおいて、
前記水素生成部が、前記容器内の底部に設けられた白金チタン電極からなることを特徴とする水素生成機能付き電気ケトル。
【請求項４】
請求項２または３に記載の水素生成機能付き電気ケトルにおいて、
前記白金チタン電極を覆うように白金コーティングを施した保護カバーが設けられていることを特徴とする水素生成機能付き電気ケトル。
【発明の詳細な説明】
【技術分野】
【０００１】
本発明は、沸騰させた液体中に還元水素を生成することが可能な水素生成機能付き電気ケトルに関する。
【背景技術】
【０００２】
従来、電気ケトルとしては、使いたい分だけ少量のお湯を沸かしたり、欲しいときに必要な場所で少量のお湯を沸かしたりできるように、小型で軽量な湯沸かし用電気ケトルが数多く市場に流通している。市場の電気ケトルの特徴は、使いやすさや、デザインやカラー、価格の安さなど、市場や消費者の要求に伴い、各メーカーが様々なニーズに対応できるよう、形状・デザイン・技術・機能を考案し、商品化することで完成度を高く、コストを低くしてきた経緯がある。
【０００３】
また、最近注目を集めている水素水生成器は、電気分解方式のものが手軽に高濃度の水素水を生成することができることから、人気が出ている商品でもあるが、価格的には誰もが購入しやすい設定となっているわけではなく、高額の部類でもある。しかも、これら電気分解式の水素水生成器（例えば下記の特許文献１など）においては、沸騰したお湯からの水素生成を可能にしたものはほとんど存在しない。
【先行技術文献】
【特許文献】
【０００４】
【特許文献１】実用新案登録第３１９３８３３号公報
【発明の概要】
【発明が解決しようとする課題】
【０００５】
本発明はこのような問題を解決するためになされたものであり、その目的とするところは、沸騰させた液体中に還元水素を生成することが可能な水素生成機能付き電気ケトルを提供することにある。
【課題を解決するための手段】
【０００６】
前記の目的を達成するため、本発明の水素生成機能付き電気ケトルは、液体が注入される容器を有するケトル本体と、前記ケトル本体に電力を供給する給電部と、前記容器内に注入された液体を前記給電部からの電力で加熱する加熱部と、前記容器内の液体の沸騰を検知して前記加熱部による加熱を停止する沸騰検知部と、前記容器内の液体中に前記給電部からの電力で電気分解による還元水素を生成する水素生成部と、を備えたことを特徴とするものである。
【０００７】
また、本発明の水素生成機能付き電気ケトルにおいて、前記水素生成部が、前記容器の開口部を開閉する蓋に前記容器内の液体に浸かるように設けられた白金チタン電極からなる構成を採用することができる。
【０００８】
また、本発明の水素生成機能付き電気ケトルにおいて、前記水素生成部が、前記容器内の底部に設けられた白金チタン電極からなる構成を採用することもできる。
【０００９】
また、本発明の水素生成機能付き電気ケトルにおいて、前記白金チタン電極を覆うように白金コーティングを施した保護カバーが設けられていてもよい。
【発明の効果】
【００１０】
以上の構成から明らかなように、本発明は、従来の手軽にお湯を沸かせる沸騰機能を備えつつ、全く異なる機能である水素生成機能を併せ持つ水素生成機能付き電気ケトルであって、これまで決して安くはない価格で販売されている水素水生成器の機能を、シンプルな回路基板と充電用電池を持たない電源方式を採用したことにより、コストを抑えることができるという効果がある。
【００１１】
また、現在市場に流通している電気分解方式による水素水生成器は、沸騰したお湯からの水素生成が行えるものはほとんどなく、メーカーとしても高温のお湯の使用禁止や、常温の水の使用に限定している。これは水素生成部の材質や耐久性の問題と、高温の液体に対する水素生成量の難しさによるものであるが、本発明の水素生成機能付き電気ケトルは、高温耐久素材の使用と、水素生成部の材質を良質のチタン材を含む金属と、その金属に白金コーティングを施して耐久性を向上させた電極と、チタン素材や白金コーティングを施した保護カバーを使用することにより、沸騰した高温の液体中に還元水素を生成することができるという効果がある。
【図面の簡単な説明】
【００１２】
【図１】本発明の水素生成機能付き電気ケトルの第１実施形態を示す説明図である。
【図２】図１の水素生成機能付き電気ケトルにおける水素生成部の詳細図である。
【図３】本発明の水素生成機能付き電気ケトルの第２実施形態を示す説明図である。
【図４】図３の水素生成機能付き電気ケトルにおける水素生成部の詳細図である。
【図５】本発明の水素生成機能付き電気ケトルの給電部の構造を示す説明図である。
【発明を実施するための形態】
【００１３】
以下、本発明を実施するための形態について、図面を参照しながら説明する。
【００１４】
図１は本発明の第１実施形態を示すもので、本実施形態の水素生成機能付き電気ケトル１（１Ａ）は、給電スタンド２と、この給電スタンド２に載置されるケトル本体３を備えて構成されている。
【００１５】
給電スタンド２は、図５に示すように、円盤状のスタンド本体４の上面に円形凸状の接続端子５が設けられており、電源コード６のプラグ７を商用電源のコンセント（図示略）に差し込むことにより、接続端子５から電力を供給可能な状態になる。一方、ケトル本体３の底面には、接続端子５に嵌合する円形凹状の給電部８が設けられており、ケトル本体３を給電スタンド２の上に載せると給電部８が接続端子５に接触し、給電部８を介してケトル本体３に電力が供給されるようになっている。
【００１６】
ケトル本体３は、図１に示すように、液体が注入される耐熱ガラス製の容器９を有しており、容器９上面の開口部１０を開閉する蓋１１が取り外し可能に設けられている。ケトル本体３の上部には容器９内の液体を取り出すための注ぎ口１２が設けられており、注ぎ口１２と容器９との間には液体中の異物を取り除くためのフィルター１３が着脱可能に取り付けられている。また、ケトル本体３の側面には、液体を注ぐ際の持ち手となるハンドル１４が一体に設けられている。なお、ケトル本体３の容器９以外の本体部分は、ポリプロピレン等の耐熱樹脂製である。また、容器９はポリカーボネイト等の耐熱樹脂製であってもよい。
【００１７】
ケトル本体３の内部には、容器９内の液体を加熱する加熱部１５が設けられている。この加熱部１５は、給電部８に電気的に接続された円形状のシーズヒーターからなり、給電部８から供給された電力により、容器９内に注入された液体を下方から加熱して沸騰させるようになっている。加熱部１５の電源のＯＮ／ＯＦＦは、ハンドル１４の上部に設けられた沸騰用電源ボタン１６を押して切り替えることができる。なお、容器９が耐熱ガラス製で透明であるため、容器９内の液体の容量や沸騰する様子を目で見て確認することができる。
【００１８】
ケトル本体３の上部には、容器９内の液体の沸騰を検知して加熱を停止する沸騰検知部１７が設けられている。この沸騰検知部１７は、例えばバイメタルを用いた温度センサからなり、容器９内の液体が沸騰して蒸気が発生すると、蒸気に触れたバイメタルが熱変形し、接点が開くように構成されている。これによりシーズヒーターの電源が切断され、ＯＮになっていた沸騰用電源ボタン１６がＯＦＦに切り替わる。
【００１９】
また、ケトル本体３には、容器９内の液体中に還元水素を生成する水素生成部１８が設けられている。この水素生成部１８は、本実施形態では図２に示すように、蓋１１の内側に設けられた電気分解用の白金チタン電極１９と、白金チタン電極１９の外周を覆うようにチタン素材に白金コーティングを施した格子状や網目状の保護カバー２０からなる。白金チタン電極１９と保護カバー２０は、容器９内の液体に浸かるように十分な長さを有しており、給電部８から供給された電力により白金チタン電極１９の陽極１９ａと陰極１９ｂに電流が流れ、電気分解方式により液体中に−還元電位を持つ水素を生成する。
【００２０】
水素生成部１８の電源のＯＮ／ＯＦＦは、ハンドル１４の上部に設けられた水素生成用電源ボタン２１を押して切り替えることができる。水素生成用電源ボタン２１を押して電源をＯＮにすると、電気分解による還元水素の生成が開始され、ＬＥＤランプ２２が点灯する。そして、タイマー機能により３分経過後に自動的に電源がＯＦＦになり、還元水素の生成が終了するとＬＥＤランプ２２が消灯する。
【００２１】
図３は本発明の第２実施形態を示すもので、本実施形態の水素生成機能付き電気ケトル１（１Ｂ）は、給電スタンド２とケトル本体３を備え、液体の沸騰機能と水素生成機能を有する点では第１実施形態と同様であるが、水素生成部１８の構造が異なっている。
【００２２】
すなわち、本実施形態の水素生成部１８は、図４に示すように容器９内の底部に設けられたシーズヒーターの周囲を取り囲むように、円環状に設けられた電気分解用の白金チタン電極１９を備えている。また、チタン素材に白金コーティングを施した格子状や網目状の保護カバー２０が白金チタン電極１９の表面を覆うように円環状に設けられている。なお、その他の構造は第１実施形態と同様であるため、同一部材には同一符号を付してその詳細な説明は省略する。
【００２３】
本発明の水素生成機能付き電気ケトルは以上のように構成されており、その使用方法は第１実施形態及び第２実施形態ともに以下のとおり同じである。
【００２４】
まず電源コード６のプラグ７を商用電源のコンセントに差し込み、給電スタンド２をセットする。これにより給電スタンド２は接続端子５から電力を供給可能なスタンバイ状態になる。
【００２５】
次にケトル本体３の蓋１１を開けて容器９内に必要な量の水を注入し、蓋１１を閉めた後、ケトル本体３を給電スタンド２の上に載せる。すると給電部８が接続端子５に接触し、給電スタンド２からケトル本体３に給電部８を介して電力が供給される。
【００２６】
続いて沸騰用電源ボタン１６を押して、加熱部１５の電源をＯＮにする。これにより給電部８から加熱部１５のシーズヒーターに電力が供給され、容器９内の水が加熱される。加熱によって容器９内の水が沸騰すると、沸騰検知部１７の空焚き防止機能により沸騰用電源ボタン１６がＯＦＦに切り替わり、給電部８からシーズヒーターへの電力供給が遮断され、加熱部１５の運転が停止する。
【００２７】
ここで沸騰したお湯に還元水素を生成する場合には、水素生成用電源ボタン２１を押して、水素生成部１８の電源をＯＮにする。これにより給電部８から水素生成部１８に電力が供給されてＬＥＤランプ２２が点灯し、白金チタン電極１９の陽極１９ａと陰極１９ｂに電流が流れ、電気分解により容器９内の沸騰したお湯に還元水素が生成される。
【００２８】
その後、３分が経過すると水素生成部１８のタイマー機能により水素生成用電源ボタン２１がＯＦＦに切り替わり、給電部８から白金チタン電極１９への電力供給が遮断される。これにより水素生成部１８の運転が停止してＬＥＤランプ２２が消灯し、還元水素の生成が完了する。還元水素が生成されたお湯を取り出すには、ハンドル１４を握ってケトル本体３を給電スタンド２から持ち上げて、ケトル本体３を傾けることにより注ぎ口１２からそのお湯を注ぐことができる。
【００２９】
なお、ここでは水素生成機能付き電気ケトル１について、沸騰機能と水素生成機能の両方を使用して沸騰したお湯に水素を生成する例を説明したが、使用方法はこれに限らず、沸騰機能のみを使用して高温のお湯を沸かしたり、水素生成機能のみを使用して常温の水素水を生成したりすることもできる。
【符号の説明】
【００３０】
１：水素生成機能付き電気ケトル
２：給電スタンド
３：ケトル本体
４：スタンド本体
５：接続端子
６：電源コード
７：プラグ
８：給電部
９：容器
１０：開口部
１１：蓋
１２：注ぎ口
１３：フィルター
１４：ハンドル
１５：加熱部
１６：沸騰用電源ボタン
１７：沸騰検知部
１８：水素生成部
１９：白金チタン電極
２０：保護カバー
２１：水素生成用電源ボタン
２２：ＬＥＤランプ
【図１】
2018020288.tif 000003
【図２】
2018020288.tif 000004
【図３】
2018020288.tif 000005
【図４】
2018020288.tif 000006
【図５】
2018020288.tif 000007
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
液体が注入される容器を有するケトル本体と、
前記ケトル本体が載置され、接続端子に接触した給電部を介して前記ケトル本体に電力を供給する給電スタンドと、
前記容器内に注入された液体を前記給電部からの電力で加熱する加熱部と、
前記容器内の液体の沸騰を検知して前記加熱部による加熱を停止する沸騰検知部と、
前記容器内の液体中に前記給電部からの電力で電気分解による還元水素を生成する水素生成部と、を備え、
前記水素生成部が、前記容器内の底部に平面状に配置された一対の白金チタン電極からなることを特徴とする水素生成機能付き電気ケトル。
【請求項２】
請求項１に記載の水素生成機能付き電気ケトルにおいて、
前記白金チタン電極を覆うように白金コーティングを施した保護カバーが設けられていることを特徴とする水素生成機能付き電気ケトル。
【手続補正２】
【補正対象書類名】明細書
【補正対象項目名】０００６
【補正方法】変更
【補正の内容】
【０００６】
前記の目的を達成するため、本発明の水素生成機能付き電気ケトルは、液体が注入される容器を有するケトル本体と、前記ケトル本体が載置され、接続端子に接触した給電部を介して前記ケトル本体に電力を供給する給電スタンドと、前記容器内に注入された液体を前記給電部からの電力で加熱する加熱部と、前記容器内の液体の沸騰を検知して前記加熱部による加熱を停止する沸騰検知部と、前記容器内の液体中に前記給電部からの電力で電気分解による還元水素を生成する水素生成部と、を備え、前記水素生成部が、前記容器内の底部に平面状に配置された一対の白金チタン電極からなることを特徴とするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】